(57)【要約】      （修正有）【課題】引用元のブログ記事において、トラックバック記事の内容をわかりやすく表示することができる情報配信システム、情報配信装置、情報配信方法及び情報配信処理プログラムを提供する。【解決手段】情報配信装置１０Ａは、トラックバック記事とともに受信したトラックバック・ピングＵＲＬに基づいて、引用元のブログ記事を配信している情報配信端末１０Ｂを認識する。そして、情報配信装置１０Ａは、情報配信端末１０Ｂにトラックバック・リクエストを送信する。情報配信装置１０Ｂは、このトラックバック・リクエストに応じてトラックバック記事へのリンク等を引用元のブログ記事に追加して、引用元のブログ記事を更新する。【選択図】図１
2007193674.tif 000002
【特許請求の範囲】
【請求項１】
第１のブログ開設者端末から受信した第１のブログ記事を配信する第１の情報配信装置と、第２のブログ開設者端末から受信した第２のブログ記事を配信する第２の情報配信装置とを備え、
前記第１の情報配信装置は、
第１のブログ開設者端末から、前記第２の情報配信装置から配信される第２のブログ記事に対する、画像を含むトラックバック記事を受信する受信手段と、
前記トラックバック記事に含まれる画像の一部又は全部を、前記第２のブログ記事に表示させるリンク画像に指定するリンク画像指定手段と、
前記第２の情報配信装置に対して、前記リンク画像を指定するための情報を含むトラックバック・リクエストを送信するトラックバック・リクエスト送信手段と、
前記第２の情報配信装置に対して、前記トラックバック記事の文字情報及びリンク画像を送信する送信手段と、
前記受信したトラックバック記事を配信する配信手段とを備え、
前記第２の情報配信装置は、
前記トラックバック・リクエストを受信するトラックバック・リクエスト受信手段と、
前記トラックバック・リクエストを受信した場合に、前記トラックバック記事の文字情報及びリンク画像を、前記第１の情報配信装置から取得する取得手段と、
前記取得した文字情報、リンク画像及び前記トラックバック記事へのリンクを前記第２のブログ記事に追加して、前記第２のブログ記事を更新するブログ記事更新手段と、
を備えることを特徴とする情報配信システム。
【請求項２】
前記リンク画像指定手段は、前記トラックバック記事に含まれる画像が静止画の場合に、前記第１のブログ開設者端末から前記静止画の一部領域の指定を受け付けて、前記指定された静止画の一部領域を前記画像からリンク画像に指定し、
前記取得手段は、前記静止画を取得して、前記取得した静止画から前記指定された一部領域を切り出すことを特徴とする請求項１記載の情報配信システム。
【請求項３】
前記リンク画像指定手段は、前記トラックバック記事に含まれる画像が動画の場合に、前記第１のブログ開設者端末から前記動画に含まれるフレームの一部の指定を受け付けて、前記指定されたフレームをリンク画像に指定し、
前記取得手段は、前記動画を取得して、前記取得した動画から前記指定されたフレームを取り出すことを特徴とする請求項１記載の情報配信システム。
【請求項４】
前記リンク画像指定手段は、前記トラックバック記事に含まれる画像から顔領域を検出して、前記顔領域を含む領域をリンク画像に指定し、
前記取得手段は、前記トラックバック記事に含まれる画像を取得して、前記取得した画像から前記顔領域を含む領域を切り出すことを特徴とする請求項１記載の情報配信システム。
【請求項５】
第１のブログ開設者端末から受信した第１のブログ記事、及び、第２のブログ開設者端末から受信した第２のブログ記事を配信する配信手段と、
第１のブログ開設者端末から、前記第２のブログ記事に対する、画像を含むトラックバック記事を受信する受信手段と、
前記トラックバック記事に含まれる画像の一部又は全部を、前記第２のブログ記事に表示させるリンク画像に指定するリンク画像指定手段と、
前記トラックバック記事の文字情報、及び、前記指定されたリンク画像を取得する取得手段と、
前記取得した文字情報、リンク画像及び前記トラックバック記事へのリンクを前記第２のブログ記事に追加して、前記第２のブログ記事を更新するブログ記事更新手段と、
を備えることを特徴とする情報配信装置。
【請求項６】
前記リンク画像指定手段は、前記トラックバック記事に含まれる画像が静止画の場合に、前記第１のブログ開設者端末から前記静止画の一部領域の指定を受け付けて、前記指定された静止画の一部領域を前記画像からリンク画像に指定し、
前記取得手段は、前記静止画を取得して、前記取得した静止画から前記指定された一部領域を切り出すことを特徴とする請求項５記載の情報配信装置。
【請求項７】
前記リンク画像指定手段は、前記トラックバック記事に含まれる画像が動画の場合に、前記第１のブログ開設者端末から前記動画に含まれるフレームの一部の指定を受け付けて、前記指定されたフレームをリンク画像に指定し、
前記取得手段は、前記動画を取得して、前記取得した動画から前記指定されたフレームを取り出すことを特徴とする請求項５記載の情報配信装置。
【請求項８】
前記リンク画像指定手段は、前記トラックバック記事に含まれる画像から顔領域を検出して、前記顔領域を含む領域をリンク画像に指定し、
前記取得手段は、前記トラックバック記事に含まれる画像を取得して、前記取得した画像から前記顔領域を含む領域を切り出すことを特徴とする請求項５記載の情報配信装置。
【請求項９】
第１のブログ開設者端末から受信した第１のブログ記事、及び、第２のブログ開設者端末から受信した第２のブログ記事を配信する配信工程と、
第１のブログ開設者端末から、前記第２のブログ記事に対する、画像を含むトラックバック記事を受信する受信工程と、
前記トラックバック記事に含まれる画像の一部又は全部を、前記第２のブログ記事に表示させるリンク画像に指定するリンク画像指定工程と、
前記トラックバック記事の文字情報、及び、前記指定されたリンク画像を取得する取得工程と、
前記取得した文字情報、リンク画像及び前記トラックバック記事へのリンクを前記第２のブログ記事に追加して、前記第２のブログ記事を更新するブログ記事更新工程と、
を備えることを特徴とする情報配信方法。
【請求項１０】
前記リンク画像指定工程は、
前記トラックバック記事に含まれる画像が静止画の場合に、前記第１のブログ開設者端末から前記静止画の一部領域の指定を受け付けて、前記指定された静止画の一部領域を前記画像からリンク画像に指定する工程と、
前記静止画を取得して、前記取得した静止画から前記指定された一部領域を切り出す工程と、
を備えることを特徴とする請求項９記載の情報配信方法。
【請求項１１】
前記リンク画像指定工程は、
前記トラックバック記事に含まれる画像が動画の場合に、前記第１のブログ開設者端末から前記動画に含まれるフレームの一部の指定を受け付けて、前記指定されたフレームをリンク画像に指定する工程と、
前記動画を取得して、前記取得した動画から前記指定されたフレームを取り出す工程と、
を備えることを特徴とする請求項９記載の情報配信方法。
【請求項１２】
前記リンク画像指定工程は、
前記トラックバック記事に含まれる画像から顔領域を検出して、前記顔領域を含む領域をリンク画像に指定する工程と、
前記取得手段は、前記トラックバック記事に含まれる画像を取得して、前記取得した画像から前記顔領域を含む領域を切り出す工程と、
を備えることを特徴とする請求項９記載の情報配信方法。
【請求項１３】
第１のブログ開設者端末から受信した第１のブログ記事、及び、第２のブログ開設者端末から受信した第２のブログ記事を配信する配信機能と、
第１のブログ開設者端末から、前記第２のブログ記事に対する、画像を含むトラックバック記事を受信する受信機能と、
前記トラックバック記事に含まれる画像の一部又は全部を、前記第２のブログ記事に表示させるリンク画像に指定するリンク画像指定機能と、
前記トラックバック記事の文字情報、及び、前記指定されたリンク画像を取得する取得機能と、
前記取得した文字情報、リンク画像及び前記トラックバック記事へのリンクを前記第２のブログ記事に追加して、前記第２のブログ記事を更新するブログ記事更新機能と、
をコンピュータに実現させることを特徴とする情報配信処理プログラム。
【請求項１４】
前記リンク画像指定機能は、
前記トラックバック記事に含まれる画像が静止画の場合に、前記第１のブログ開設者端末から前記静止画の一部領域の指定を受け付けて、前記指定された静止画の一部領域を前記画像からリンク画像に指定する機能と、
前記静止画を取得して、前記取得した静止画から前記指定された一部領域を切り出す機能と、
を備えることを特徴とする請求項１３記載の情報配信処理プログラム。
【請求項１５】
前記リンク画像指定機能は、
前記トラックバック記事に含まれる画像が動画の場合に、前記第１のブログ開設者端末から前記動画に含まれるフレームの一部の指定を受け付けて、前記指定されたフレームをリンク画像に指定する機能と、
前記動画を取得して、前記取得した動画から前記指定されたフレームを取り出す機能と、
を備えることを特徴とする請求項１３記載の情報配信処理プログラム。
【請求項１６】
前記リンク画像指定機能は、
前記トラックバック記事に含まれる画像から顔領域を検出して、前記顔領域を含む領域をリンク画像に指定する機能と、
前記取得手段は、前記トラックバック記事に含まれる画像を取得して、前記取得した画像から前記顔領域を含む領域を切り出す機能と、
を備えることを特徴とする請求項１３記載の情報配信処理プログラム。
【発明の詳細な説明】
【技術分野】
【０００１】
本発明は情報配信システム、情報配信装置、情報配信方法及び情報配信処理プログラムに係り、特にユーザ側端末から受信した記事データを配信する技術に関する。
【背景技術】
【０００２】
従来、インターネット上のウェブログ（Weblog、以下の説明では、「ブログ」と記載する）と呼ばれる情報提供サービスにおいて、ウェブログサイトの開設者（ブログ開設者）が他人のブログ記事を引用してブログ記事を作成する場合に、引用元のブログ記事中に、上記ブログ開設者が当該記事を引用して作成したブログ記事へのリンクを付加するトラックバックの処理を容易にした情報提供システムが提案されている（特許文献１）。
【特許文献１】特開２００５−２５０８２６号公報
【発明の開示】
【発明が解決しようとする課題】
【０００３】
従来の情報提供システムでは、引用元のブログ記事の中に付加されるのは、当該ブログ記事を引用したブログ記事へのリンク（ＵＲＬ）やタイトル等の文字情報に限定されていた。このため、人気のブログサイトでは、せっかくトラックバック記事を作成しても、引用元のブログ記事において多くのトラックバックの中に埋もれてしまい、引用元のブログ記事の閲覧者を自己のブログサイトに効果的に誘導することができなかった。また、ブログサイトの閲覧者にとっても、多くのトラックバックの中から、興味のある、面白そうな記事を選択するのが困難であった。
【０００４】
本発明はこのような事情に鑑みてなされたもので、引用元のブログ記事において、トラックバック記事の内容をわかりやすく表示することができる情報配信システム、情報配信装置、情報配信方法及び情報配信処理プログラムを提供することを目的とする。
【課題を解決するための手段】
【０００５】
上記目的を達成するために請求項１に係る情報配信システムは、第１のブログ開設者端末から受信した第１のブログ記事を配信する第１の情報配信装置と、第２のブログ開設者端末から受信した第２のブログ記事を配信する第２の情報配信装置とを備え、前記第１の情報配信装置は、第１のブログ開設者端末から、前記第２の情報配信装置から配信される第２のブログ記事に対する、画像を含むトラックバック記事を受信する受信手段と、前記トラックバック記事に含まれる画像の一部又は全部を、前記第２のブログ記事に表示させるリンク画像に指定するリンク画像指定手段と、前記第２の情報配信装置に対して、前記リンク画像を指定するための情報を含むトラックバック・リクエストを送信するトラックバック・リクエスト送信手段と、前記第２の情報配信装置に対して、前記トラックバック記事の文字情報及びリンク画像を送信する送信手段と、前記受信したトラックバック記事を配信する配信手段とを備え、前記第２の情報配信装置は、前記トラックバック・リクエストを受信するトラックバック・リクエスト受信手段と、前記トラックバック・リクエストを受信した場合に、前記トラックバック記事の文字情報及びリンク画像を、前記第１の情報配信装置から取得する取得手段と、前記取得した文字情報、リンク画像及び前記トラックバック記事へのリンクを前記第２のブログ記事に追加して、前記第２のブログ記事を更新するブログ記事更新手段とを備えることを特徴とする。
【０００６】
請求項１に係る情報配信システムによれば、他人のブログ記事を引用してトラックバック記事を作成する際に、トラックバック記事に用いる画像の一部を引用元のブログ記事の中に表示させることにより、引用元のブログ記事を閲覧した閲覧者を自分のブログサイトに効果的に誘導することができる。
【０００７】
請求項２に係る情報配信システムは、請求項１において、前記リンク画像指定手段は、前記トラックバック記事に含まれる画像が静止画の場合に、前記第１のブログ開設者端末から前記静止画の一部領域の指定を受け付けて、前記指定された静止画の一部領域を前記画像からリンク画像に指定し、前記取得手段は、前記静止画を取得して、前記取得した静止画から前記指定された一部領域を切り出すことを特徴とする。
【０００８】
請求項２に係る情報配信システムによれば、他人のブログ記事を引用してトラックバック記事を作成する際に、トラックバック記事に用いる静止画の所望の部分を指定して、引用元のブログ記事の中に表示させることができる。
【０００９】
請求項３に係る情報配信システムは、請求項１において、前記リンク画像指定手段は、前記トラックバック記事に含まれる画像が動画の場合に、前記第１のブログ開設者端末から前記動画に含まれるフレームの一部の指定を受け付けて、前記指定されたフレームをリンク画像に指定し、前記取得手段は、前記動画を取得して、前記取得した動画から前記指定されたフレームを取り出すことを特徴とする。
【００１０】
請求項３に係る情報配信システムによれば、他人のブログ記事を引用してトラックバック記事を作成する際に、トラックバック記事に用いる動画の一部の場面を指定して、引用元のブログ記事のトラックバックの中に表示させることができる。
【００１１】
請求項４に係る情報配信システムは、請求項１において、前記リンク画像指定手段は、前記トラックバック記事に含まれる画像から顔領域を検出して、前記顔領域を含む領域をリンク画像に指定し、前記取得手段は、前記トラックバック記事に含まれる画像を取得して、前記取得した画像から前記顔領域を含む領域を切り出すことを特徴とする。
【００１２】
請求項４に係る情報配信システムによれば、他人のブログ記事を引用してトラックバック記事を作成する際に、トラックバック記事に用いる画像に人物が含まれている場合に、当該画像から顔領域を切り出して、引用元のブログ記事の中に表示させることができる。
【００１３】
請求項５に係る情報配信装置は、第１のブログ開設者端末から受信した第１のブログ記事、及び、第２のブログ開設者端末から受信した第２のブログ記事を配信する配信手段と、第１のブログ開設者端末から、前記第２のブログ記事に対する、画像を含むトラックバック記事を受信する受信手段と、前記トラックバック記事に含まれる画像の一部又は全部を、前記第２のブログ記事に表示させるリンク画像に指定するリンク画像指定手段と、前記トラックバック記事の文字情報、及び、前記指定されたリンク画像を取得する取得手段と、前記取得した文字情報、リンク画像及び前記トラックバック記事へのリンクを前記第２のブログ記事に追加して、前記第２のブログ記事を更新するブログ記事更新手段とを備えることを特徴とする。
【００１４】
請求項５に係る情報配信装置によれば、同じ情報配信装置にブログサイトを所有している他人のブログ記事を引用してトラックバック記事を作成する際に、トラックバック記事に用いる画像の一部を引用元のブログ記事の中に表示させることにより、引用元のブログ記事を閲覧した閲覧者を自分のブログサイトに効果的に誘導することができる。
【００１５】
請求項６に係る情報配信装置は、請求項５において、前記リンク画像指定手段は、前記トラックバック記事に含まれる画像が静止画の場合に、前記第１のブログ開設者端末から前記静止画の一部領域の指定を受け付けて、前記指定された静止画の一部領域を前記画像からリンク画像に指定し、前記取得手段は、前記静止画を取得して、前記取得した静止画から前記指定された一部領域を切り出すことを特徴とする。
【００１６】
請求項６に係る情報配信装置によれば、同じ情報配信装置にブログサイトを所有している他人のブログ記事を引用してトラックバック記事を作成する際に、トラックバック記事に用いる静止画の所望の部分を指定して、引用元のブログ記事の中に表示させることができる。
【００１７】
請求項７に係る情報配信装置は、請求項５において、前記リンク画像指定手段は、前記トラックバック記事に含まれる画像が動画の場合に、前記第１のブログ開設者端末から前記動画に含まれるフレームの一部の指定を受け付けて、前記指定されたフレームをリンク画像に指定し、前記取得手段は、前記動画を取得して、前記取得した動画から前記指定されたフレームを取り出すことを特徴とする。
【００１８】
請求項７に係る情報配信装置によれば、同じ情報配信装置にブログサイトを所有している他人のブログ記事を引用してトラックバック記事を作成する際に、トラックバック記事に用いる動画の一部の場面を指定して、引用元のブログ記事のトラックバックの中に表示させることができる。
【００１９】
請求項８に係る情報配信装置は、請求項５において、前記リンク画像指定手段は、前記トラックバック記事に含まれる画像から顔領域を検出して、前記顔領域を含む領域をリンク画像に指定し、前記取得手段は、前記トラックバック記事に含まれる画像を取得して、前記取得した画像から前記顔領域を含む領域を切り出すことを特徴とする。
【００２０】
請求項８に係る情報配信装置によれば、同じ情報配信装置にブログサイトを所有している他人のブログ記事を引用してトラックバック記事を作成する際に、トラックバック記事に用いる画像に人物が含まれている場合に、当該画像から顔領域を切り出して、引用元のブログ記事の中に表示させることができる。
【００２１】
請求項９に係る情報配信方法は、第１のブログ開設者端末から受信した第１のブログ記事、及び、第２のブログ開設者端末から受信した第２のブログ記事を配信する配信工程と、第１のブログ開設者端末から、前記第２のブログ記事に対する、画像を含むトラックバック記事を受信する受信工程と、前記トラックバック記事に含まれる画像の一部又は全部を、前記第２のブログ記事に表示させるリンク画像に指定するリンク画像指定工程と、前記トラックバック記事の文字情報、及び、前記指定されたリンク画像を取得する取得工程と、前記取得した文字情報、リンク画像及び前記トラックバック記事へのリンクを前記第２のブログ記事に追加して、前記第２のブログ記事を更新するブログ記事更新工程とを備えることを特徴とする。
【００２２】
請求項１０に係る情報配信方法は、請求項９において、前記リンク画像指定工程は、前記トラックバック記事に含まれる画像が静止画の場合に、前記第１のブログ開設者端末から前記静止画の一部領域の指定を受け付けて、前記指定された静止画の一部領域を前記画像からリンク画像に指定する工程と、前記静止画を取得して、前記取得した静止画から前記指定された一部領域を切り出す工程とを備えることを特徴とする。
【００２３】
請求項１１に係る情報配信方法は、請求項９において、前記リンク画像指定工程は、前記トラックバック記事に含まれる画像が動画の場合に、前記第１のブログ開設者端末から前記動画に含まれるフレームの一部の指定を受け付けて、前記指定されたフレームをリンク画像に指定する工程と、前記動画を取得して、前記取得した動画から前記指定されたフレームを取り出す工程とを備えることを特徴とする。
【００２４】
請求項１２に係る情報配信方法は、請求項９において、前記リンク画像指定工程は、前記トラックバック記事に含まれる画像から顔領域を検出して、前記顔領域を含む領域をリンク画像に指定する工程と、前記取得手段は、前記トラックバック記事に含まれる画像を取得して、前記取得した画像から前記顔領域を含む領域を切り出す工程とを備えることを特徴とする。
【００２５】
請求項１３に係る情報配信処理プログラムは、第１のブログ開設者端末から受信した第１のブログ記事、及び、第２のブログ開設者端末から受信した第２のブログ記事を配信する配信機能と、第１のブログ開設者端末から、前記第２のブログ記事に対する、画像を含むトラックバック記事を受信する受信機能と、前記トラックバック記事に含まれる画像の一部又は全部を、前記第２のブログ記事に表示させるリンク画像に指定するリンク画像指定機能と、前記トラックバック記事の文字情報、及び、前記指定されたリンク画像を取得する取得機能と、前記取得した文字情報、リンク画像及び前記トラックバック記事へのリンクを前記第２のブログ記事に追加して、前記第２のブログ記事を更新するブログ記事更新機能とをコンピュータに実現させることを特徴とする。
【００２６】
請求項１４に係る情報配信処理プログラムは、請求項１３において、前記リンク画像指定機能は、前記トラックバック記事に含まれる画像が静止画の場合に、前記第１のブログ開設者端末から前記静止画の一部領域の指定を受け付けて、前記指定された静止画の一部領域を前記画像からリンク画像に指定する機能と、前記静止画を取得して、前記取得した静止画から前記指定された一部領域を切り出す機能とを備えることを特徴とする。
【００２７】
請求項１５に係る情報配信処理プログラムは、請求項１３において、前記リンク画像指定機能は、前記トラックバック記事に含まれる画像が動画の場合に、前記第１のブログ開設者端末から前記動画に含まれるフレームの一部の指定を受け付けて、前記指定されたフレームをリンク画像に指定する機能と、前記動画を取得して、前記取得した動画から前記指定されたフレームを取り出す機能とを備えることを特徴とする。
【００２８】
請求項１６に係る情報配信処理プログラムは、請求項１３において、前記リンク画像指定機能は、前記トラックバック記事に含まれる画像から顔領域を検出して、前記顔領域を含む領域をリンク画像に指定する機能と、前記取得手段は、前記トラックバック記事に含まれる画像を取得して、前記取得した画像から前記顔領域を含む領域を切り出す機能とを備えることを特徴とする。
【００２９】
請求項１３から１６に係る情報配信処理プログラムを、インターネット・サービス・プロバイダ等が管理するブログサーバに適用することにより、本発明に係る情報配信システム、情報配信装置及び情報配信方法を実現することができる。
【発明の効果】
【００３０】
本発明によれば、他人のブログ記事を引用してトラックバック記事を作成する際に、トラックバック記事に用いる画像の一部を引用元のブログ記事の中に表示させることにより、引用元のブログ記事を閲覧した閲覧者を自分のブログサイトに効果的に誘導することができる。
【発明を実施するための最良の形態】
【００３１】
以下、添付図面に従って本発明に係る情報配信システム、情報配信装置、情報配信方法及び情報配信処理プログラムの好ましい実施の形態について説明する。
【００３２】
図１は、本発明の一実施形態に係る情報配信装置によりブログ記事を配信する情報配信システムを模式的に示す図である。図１において、ブログ開設者端末１００Ａ及び１００Ｂ、情報配信装置１０Ａ及び１０Ｂは、ネットワークを介して通信可能に接続されている。情報配信装置１０Ａ及び１０Ｂは、それぞれブログ開設者Ａ、Ｂがブログアカウントを有するブログサーバである。ブログ開設者端末１００Ａ及び１００Ｂは、それぞれブログ開設者Ａ、Ｂがブログの投稿や閲覧に使用する端末であり、例えば、パーソナルコンピュータ（ＰＣ）や、通信機能を有する携帯電話、情報携帯端末（ＰＤＡ）等である。
【００３３】
ブログ開設者Ａは、ブログ開設者端末１００Ａを用いてブログ記事を作成して、自身がブログアカウントを有する情報配信装置１０Ａに投稿する。ブログ開設者Ｂは、ブログ開設者端末１００Ｂを用いてブログ記事を作成して、自身がブログアカウントを有する情報配信装置１０Ｂに投稿する。情報配信装置１０Ａ及び１０Ｂは、ネットワークを介して通信可能な閲覧者側の端末（ブログ開設者端末１００Ａ及び１００Ｂを含む）からのブログ記事の配信を要求するリクエストを受け付けて、上記投稿されたブログ記事を閲覧者側の端末に配信する。
【００３４】
ブログ開設者は、他者のブログ記事を引用したブログ記事（以下の説明では、トラックバック記事と記載する）を作成することができる。以下、ブログ開設者Ｂが作成したブログ記事に対してブログ開設者Ａがトラックバック記事を作成する場合について説明する。ブログ開設者Ｂのブログ記事（引用元のブログ記事）には、トラックバック・ピングＵＲＬ（TrackBack-Ping URL）が記載される。このトラックバック・ピングＵＲＬは、引用元のブログ記事を特定するためのものである。ブログ開設者Ａは、トラックバック記事を投稿する際に、引用元のブログ記事に記載されたトラックバック・ピングＵＲＬを情報配信装置１０Ａに送信する。図１に示すように、情報配信装置１０Ａは、トラックバック記事とともに受信したトラックバック・ピングＵＲＬに基づいて、引用元のブログ記事を配信している情報配信端末１０Ｂを認識する。そして、情報配信装置１０Ａは、情報配信端末１０Ｂにトラックバック・リクエストを送信する。情報配信装置１０Ｂは、このトラックバック・リクエストに応じてトラックバック記事へのリンク等を引用元のブログ記事に追加して、引用元のブログ記事を更新する。
【００３５】
図２は、ブログ開設者端末の主要構成を示すブロック図である。図２に示すように、ブログ開設者端末１００Ａ、１００Ｂは、表示部１０２、操作部１０４、ブログ記事編集処理部１０６、リンク画像指定部１０８及び通信インターフェイス部（通信Ｉ／Ｆ）１１０を備える。表示部１０２は、ブログ記事や画像、各種の操作メニューを表示するためのモニタである。操作部１０４は、ブログ開設者が操作入力を行うための装置であり、例えば、文字入力を行うためのキーボードや、マウス等のポインティングデバイスである。ブログ記事編集処理部１０６は、操作部１０４からの操作入力に基づいて、ブログ記事及びトラックバック記事の作成、編集を行う。リンク画像指定部１０８は、トラックバック記事の引用元のブログ記事に、トラックバック記事へのリンクを付与する際に用いる画像（リンク画像）を指定する。このリンク画像は、トラックバック記事に掲載される画像の一部、例えば、静止画中の一部領域、動画の一部フレーム等である。上記リンク画像を特定するためのリンク画像特定情報（静止画中の一部領域を指定する座標や、動画のフレーム番号）は、トラックバック記事やトラックバック・ピングＵＲＬを情報配信装置に送信する際に一緒に送信される。通信Ｉ／Ｆ１１０は、ネットワークと接続するための機能部であり、ブログ開設者端末は、通信Ｉ／Ｆ１１０を介して情報配信装置１０Ａ、１０Ｂとの間で、ブログ記事等のデータの送受信を行う。
【００３６】
図３は、本発明の第１の実施形態に係る情報配信装置の主要構成を示すブロック図である。図３に示すように、本実施形態の情報配信装置１０Ａ、１０Ｂは、ブログ記事受信部１２、ブログ記事記録部１４、ブログ記事配信部１６、トラックバック・リクエスト送信部１８、トラックバック・リクエスト受信部２０、リンク画像特定情報取得部２２、リンク画像取得部２４及びトラックバック処理部２６を備える。
【００３７】
ブログ記事受信部１２は、ブログ開設者端末１００Ａ、１００Ｂから投稿されたブログ記事を受信する。また、ブログ記事受信部１２は、トラックバック記事を受信した場合には、トラックバック記事とともに、トラックバック・ピングＵＲＬ及びリンク画像特定情報を受信する。ブログ記事記録部１４は、上記受信したブログ記事を記録する。ブログ記事配信部１６は、閲覧者側の端末からのリクエストに応じて、上記記録したブログ記事を配信する。
【００３８】
トラックバック・リクエスト送信部１８は、ブログ開設者端末からトラックバック記事、トラックバック・ピングＵＲＬ及びリンク画像特定情報を受信した場合に、引用元のトラックバック記事を配信する情報配信装置を認識して、引用元のトラックバック記事を配信する情報配信装置に対してトラックバック・リクエスト、リンク画像特定情報を送信する。トラックバック・リクエスト受信部２０は、他の情報配信装置からのトラックバック・リクエストを受信する。
【００３９】
リンク画像特定情報取得部２２は、他の情報配信装置から受信したトラックバック・リクエストに含まれるリンク画像特定情報を取得する。リンク画像取得部２４は、上記リンク画像特定情報によって指定されたリンク画像（静止画又は動画）を取得する。トラックバック処理部２６は、トラックバック・リクエストを受信した場合に、トラックバック記事の表題や記事の一部の文字列を取得して、トラックバック記事へのリンクとともに引用元の記事に掲載するとともに、上記取得したリンク画像を貼り付ける。
【００４０】
図４は、本発明の第１の実施形態に係るトラックバック記事の配信及び引用元のブログ記事の更新処理の流れを示すシークエンス図である。なお、図４に示す例では、リンク画像として用いる画像ファイルＩＭＧ１は静止画とする。
【００４１】
まず、ブログ開設者端末１００Ａからのリクエストに応じて、情報配信装置１０Ｂからブログ開設者Ｂのブログ記事（引用元のブログ記事）が配信され（ステップＳ１０）、図５（ａ）に示すように、引用元のブログ記事がブログ開設者端末１００Ａの表示部１０２に表示される（ステップＳ１２）。
【００４２】
次に、ステップＳ１４以降において、引用元のブログ記事に対するトラックバック処理が行われる。まず、ブログ開設者端末１００Ａにおいて、操作部１０４からの所定の操作入力により、ブログ開設者端末１００Ａと情報配信装置１０Ａとの間で通信が開始され、情報配信装置１０Ａからトラックバック記事の投稿画面が配信されて（ステップＳ１４）、トラックバック記事の投稿画面がブログ開設者端末１００Ａの表示部１０２に表示される。そして、操作部１０４からトラックバック記事の文字情報の入力、レイアウトの選択等の編集処理が行われる（ステップＳ１６）。
【００４３】
図６（ａ）に示すように、トラックバック記事の投稿画面には、トラックバック記事のタイトル入力欄Ｃ１、本文入力欄Ｃ２及びトラックバック先ＵＲＬ入力欄Ｃ３が設けられており、操作部１０４のキーボードによりそれぞれタイトルや本文の文字列が入力される。
【００４４】
また、画像参照ボタンＢ１により、ブログ開設者端末１００Ａ内の画像ファイルの一覧が表示され、トラックバック記事に掲載する画像ファイルＩＭＧ１が指定される（ステップＳ１８）。そして、ステップＳ１８において指定された画像ファイルＩＭＧ１が上記投稿画面に表示される。
【００４５】
次に、画像ファイルＩＭＧ１において、引用元のブログ記事に表示させる指定領域Ａ１（リンク画像）が指定される（ステップＳ２０）。この画像ファイルＩＭＧ１中の指定領域Ａ１は、例えば、図６（ａ）に示すトラックバック記事の投稿画面において、操作部１０４のマウスを用いて画像ＩＭＧ１をドラッグすることにより確定する矩形領域により指定することができる。そして、範囲指定ボタンＢ２がクリックされると、指定領域Ａ１が確定して（ステップＳ２２）、指定領域Ａ１を特定するための座標、幅及び高さ等が検出され（ステップＳ２４）、画像ファイルＩＭＧ１及び指定領域Ａ１を特定するためのリンク画像特定情報が生成される（ステップＳ２６）。リンク画像特定情報は、例えば、下記に示すような領域指定ＵＲＬにより表される。
【００４６】
［領域指定ＵＲＬの例］
http://blog.xxx.ne.jp/userid/12345.htm?pic=http://〇〇〇/abc.jpg?x=20&y=30&wd=120&ht=80
上記領域指定ＵＲＬにおいて、文字列「12345.htm」はトラックバック記事のファイル名であり、引数「pic=http://〇〇〇/abc.jpg」は、画像ファイルＩＭＧ１のファイル名（フルパス）である。また、引数「x=20」及び「y=30」は、指定領域Ａ１の左上の頂点Ｐ１の座標（ｘ，ｙ）を表しており、引数「wd=120」及び「ht=80」は、それぞれ指定領域Ａ１の幅及び高さを表している。なお、上記領域指定ＵＲＬにおいて、文字列「?」はファイル名と引数の間の区切りであり、文字列「&」は引数間の区切りである。
【００４７】
次に、トラックバック先ＵＲＬ入力欄Ｃ３にトラックバック・ピングＵＲＬ（TrackBack-Ping URL、図５（ａ）参照）の入力が受け付けられ（ステップＳ２８）、決定ボタンＢ３がクリックされると、トラックバック記事の編集内容（タイトル、本文、画像等）が確定されて（ステップＳ３０）、確定されたトラックバック記事、トラックバック・ピングＵＲＬ及び領域指定ＵＲＬが情報配信装置１０Ａに送信される（ステップＳ３２）。
【００４８】
次に、情報配信装置１０Ａにおいて、トラックバック記事が受信されると（ステップＳ３４）、図６（ｂ）に示すように、情報配信装置１０Ａによって、トラックバック記事が配信される（ステップＳ５４）。
【００４９】
また、情報配信装置１０Ａにおいて、トラックバック記事が受信されると（ステップＳ３４）、引用元のブログ記事を配信している情報配信装置１０Ｂに対してトラックバック・リクエストが送信される（ステップＳ３６）。このトラックバック・リクエストには、上記リンク画像特定情報（領域指定ＵＲＬ）が含まれている。
【００５０】
次に、情報配信装置１０Ｂにおいて、情報配信装置１０Ａからのトラックバック・リクエストが受信されると（ステップＳ３８）、受信した領域指定ＵＲＬが解析されて、領域指定ＵＲＬによって指定された画像ファイルＩＭＧ１を要求するリクエストが情報配信装置１０Ａに送信される（ステップＳ４０）。
【００５１】
次に、情報配信装置１０Ａから送信された画像ファイルＩＭＧ１が受信されるとともに、上記領域指定ＵＲＬによって指定された画像ファイルＩＭＧ１の指定領域Ａ１が画像ファイルＩＭＧ１から切り出されて保存される（ステップＳ４２、Ｓ４４）。また、情報配信装置１０Ａから送信されたトラックバック記事のタイトルや本文等の文字情報や、リンク情報（ＵＲＬ）等が受信されて保存される（ステップＳ４６、Ｓ４８）。
【００５２】
次に、情報配信装置１０Ｂにおいて、図５（ｂ）に示すように、引用元のブログ記事に、上記トラックバック記事へのタイトル（「今日の〇△ちゃん」）や本文の一部等の文字情報、リンク画像（指定領域Ａ１）及びリンク情報（ＵＲＬ）が追加され、引用元のブログ記事が更新されて（ステップＳ５０）、配信される（ステップＳ５２）。
【００５３】
本実施形態によれば、ブログ開設者は、他人のブログ記事を引用してトラックバック記事を作成する際に、トラックバック記事に用いる静止画の所望の部分を指定して、引用元のブログ記事の中に表示させることができる。
【００５４】
次に、トラックバック記事に用いる画像が動画の場合の処理の流れについて、図７を参照して説明する。まず、ブログ開設者端末１００Ａからのリクエストに応じて、情報配信装置１０Ｂからブログ開設者Ｂのブログ記事（引用元のブログ記事）が配信され（ステップＳ６０）、図８（ａ）に示すように、引用元ブログ記事がブログ開設者端末１００Ａの表示部１０２に表示される（ステップＳ６２）。
【００５５】
次に、ステップＳ６４以降において、引用元のブログ記事に対するトラックバック処理が行われる。まず、ブログ開設者端末１００Ａにおいて、操作部１０４からの所定の操作入力により、ブログ開設者端末１００Ａと情報配信装置１０Ａとの間で通信が開始され、情報配信装置１０Ａからトラックバック記事の投稿画面が配信されて（ステップＳ６４）、トラックバック記事の投稿画面がブログ開設者端末１００Ａの表示部１０２に表示される。そして、操作部１０４からトラックバック記事の文字情報の入力、レイアウトの選択等の編集処理が行われる（ステップＳ６６）。
【００５６】
図９（ａ）に示すトラックバック記事の投稿画面には、上記図６（ａ）と同様に、トラックバック記事のタイトル入力欄Ｃ１、本文入力欄Ｃ２及びトラックバック先ＵＲＬ入力欄Ｃ３が設けられており、操作部１０４によりタイトルや本文の文字列が入力される。
【００５７】
また、画像参照ボタンＢ１により、ブログ開設者端末１００Ａ内の画像ファイルの一覧が表示され、トラックバック記事に掲載する動画ファイルＩＭＧ２が指定される（ステップＳ６８）。そして、ステップＳ６８において指定された動画ファイルＩＭＧ２が上記投稿画面に表示される。
【００５８】
次に、動画ファイルＩＭＧ２において、引用元のブログ記事に表示させる一部の場面（リンク画像）が指定される（ステップＳ７０）。ステップＳ７０では、図６（ａ）に示すように、トラックバック記事の投稿画面において、動画ファイルＩＭＧ２のフレームを順次又は数フレームおきに、図の左右方向に流しながら表示させる画面（フィルムロール）ＩＭＧ２′を設け、操作部１０４のマウスにより、リンク画像として用いる場面の最初のフレーム（開始フレーム）と最後のフレーム（終了フレーム）をクリックすることにより指定することができる。そして、フレーム指定ボタンＢ４がクリックされると、ステップＳ７０において指定された指定フレームが確定して（ステップＳ７２）、開始フレーム及び終了フレームのフレーム番号が検出され（ステップＳ７４）、動画ファイルＩＭＧ２及び指定フレームを特定するためのリンク画像特定情報が生成される（ステップＳ７６）。リンク画像特定情報は、例えば、下記に示すようなフレーム指定ＵＲＬにより表される。
【００５９】
［フレーム指定ＵＲＬの例］
http://blog.xxx.ne.jp/userid/12345.htm?pic=http://〇〇〇/abc.mpg?f1=20&f2=50
上記フレーム指定ＵＲＬにおいて、文字列「12345.htm」はトラックバック記事のファイル名であり、引数「pic=http://〇〇〇/abc.mpg」は、ステップＳ６８において指定された動画ファイルＩＭＧ２のファイル名（フルパス）である。また、引数「f1=20」及び「f2=50」は、それぞれリンク画像として用いられる動画ファイルＩＭＧ２の開始フレーム及び終了フレームを表している。なお、上記フレーム指定ＵＲＬにおいて、文字列「?」はファイル名と引数の間の区切りであり、文字列「&」は引数間の区切りである。
【００６０】
次に、トラックバック先ＵＲＬ入力欄Ｃ３にトラックバック・ピングＵＲＬ（TrackBack-Ping URL、図８（ａ）参照）の入力が受け付けられ（ステップＳ７８）、決定ボタンＢ３がクリックされると、トラックバック記事の編集内容（タイトル、本文、動画等）が確定されて（ステップＳ８０）、確定されたトラックバック記事、トラックバック・ピングＵＲＬ及びフレーム指定ＵＲＬが情報配信装置１０Ａに送信される（ステップＳ８２）。
【００６１】
次に、情報配信装置１０Ａにおいて、トラックバック記事が受信されると（ステップＳ８４）、図９（ｂ）に示すように、情報配信装置１０Ａによって、トラックバック記事が配信される（ステップＳ１０４）。図９（ｂ）に示すトラックバック記事の閲覧画面には、上記トラックバック記事のタイトル、本文及び動画ファイルＩＭＧ２が表示されるとともに、動画ファイルを再生するための再生ボタンが設けられている。
【００６２】
また、情報配信装置１０Ａにおいて、トラックバック記事が受信されると（ステップＳ８４）、引用元のブログ記事を配信している情報配信装置１０Ｂに対してトラックバック・リクエストが送信される（ステップＳ８６）。このトラックバック・リクエストには、上記リンク画像特定情報（フレーム指定ＵＲＬ）が含まれている。
【００６３】
次に、情報配信装置１０Ｂにおいて、情報配信装置１０Ａからのトラックバック・リクエストが受信されると（ステップＳ８８）、受信したフレーム指定ＵＲＬが解析されて、フレーム指定ＵＲＬによって指定された動画ファイルＩＭＧ２を要求するリクエストが情報配信装置１０Ａに送信される（ステップＳ９０）。
【００６４】
次に、情報配信装置１０Ａから送信された動画ファイルＩＭＧ２が受信されるとともに、上記フレーム指定ＵＲＬによって指定された動画ファイルＩＭＧ２の指定フレーム（開始フレーム、終了フレーム及びそれらの間のフレーム）が動画ファイルＩＭＧ２から切り出されて保存される（ステップＳ９２、Ｓ９４）。また、情報配信装置１０Ａから送信されたトラックバック記事のタイトルや本文等の文字情報や、リンク情報（ＵＲＬ）等が受信されて保存される（ステップＳ９６、Ｓ９８）。
【００６５】
次に、情報配信装置１０Ｂにおいて、図８（ｂ）に示すように、引用元のブログ記事に、上記トラックバック記事へのタイトル（「今日の〇△ちゃん」）や本文の一部等の文字情報、ステップＳ９４において保存されたフレーム範囲の動画及びリンク情報（ＵＲＬ）が追加され、引用元のブログ記事が更新されて（ステップＳ１００）、配信される（ステップＳ１０２）。
【００６６】
本実施形態によれば、ブログ開設者は、他人のブログ記事を引用してトラックバック記事を作成する際に、トラックバック記事に用いる動画の一部の場面を指定して、引用元のブログ記事のトラックバックの中に表示させることができる。
【００６７】
次に、本発明の第２の実施形態について説明する。なお、以下の説明において、上記第１の実施形態と同様の構成については、同一の符号を付して説明を省略する。
【００６８】
図１０は、本実施形態に係る情報配信装置の主要構成を示すブロック図である。図１０に示すように、本実施形態に係る情報配信装置は、顔認識処理部２８を更に備える。
【００６９】
トラックバック・リクエスト受信部２０は、他の情報配信装置からのトラックバック・リクエストを受信する。リンク画像特定情報取得部２２は、他の情報配信装置から受信したトラックバック・リクエストに含まれるリンク画像特定情報を取得する。リンク画像取得部２４は、上記リンク画像特定情報によって指定されたリンク画像（静止画又は動画）を取得する。顔認識処理部２８は、上記取得したリンク画像中の人物の顔領域検出処理を行う。そして、顔認識処理部２８は、リンク画像から人物の顔領域が検出された場合に、上記検出した顔領域を含む画像をリンク画像から切り出して保存する。トラックバック処理部２６は、トラックバック・リクエストを受信した場合に、トラックバック記事の表題や記事の一部の文字列を取得して、トラックバック記事へのリンクとともに引用元の記事に掲載するとともに、上記リンク画像から切り出した顔領域を含む画像を貼り付ける。
【００７０】
図１１は、本発明の第２の実施形態に係るトラックバック記事の配信及び引用元のブログ記事の更新処理の流れを示すシークエンス図である。まず、ブログ開設者端末１００Ａからのリクエストに応じて、情報配信装置１０Ｂからブログ開設者Ｂのブログ記事（引用元のブログ記事）が配信され（ステップＳ１１０）、図１２（ａ）に示すように、引用元ブログ記事がブログ開設者端末１００Ａの表示部１０２に表示される（ステップＳ１１２）。
【００７１】
次に、ステップＳ１１４以降において、引用元のブログ記事に対するトラックバック処理が行われる。まず、ブログ開設者端末１００Ａにおいて、操作部１０４からの所定の操作入力により、ブログ開設者端末１００Ａと情報配信装置１０Ａとの間で通信が開始され、情報配信装置１０Ａからトラックバック記事の投稿画面が配信されて（ステップＳ１１４）、トラックバック記事の投稿画面がブログ開設者端末１００Ａの表示部１０２に表示される。そして、操作部１０４からトラックバック記事の文字情報の入力、レイアウトの選択等の編集処理が行われる（ステップＳ１１６）。
【００７２】
図１３は、トラックバック記事の投稿画面の例を示す図である。図１３（ａ）に示すように、トラックバック記事の投稿画面には、トラックバック記事のタイトル入力欄Ｃ１、本文入力欄Ｃ２及びトラックバック先ＵＲＬ入力欄Ｃ３が設けられており、操作部１０４のキーボードによりタイトルや本文の文字列が入力される。
【００７３】
また、画像参照ボタンＢ１により、ブログ開設者端末１００Ａ内の画像ファイルの一覧が表示され、トラックバック記事に掲載する画像ファイルＩＭＧ３が指定される（ステップＳ１１８）。そして、ステップＳ１１８において指定された画像ファイルＩＭＧ３を特定するためのリンク画像特定情報が生成される（ステップＳ１２０）。リンク画像特定情報は、例えば、下記に示すような画像指定ＵＲＬにより表される。
【００７４】
［画像指定ＵＲＬの例］
http://blog.xxx.ne.jp/userid/12345.htm?pic=http://〇〇〇/abc.jpg
上記画像指定ＵＲＬにおいて、文字列「12345.htm」はトラックバック記事のファイル名であり、引数「pic=http://〇〇〇/abc.jpg」は、画像ファイルＩＭＧ１のファイル名（フルパス）である。なお、上記領域指定ＵＲＬにおいて、文字列「?」はファイル名と引数の間の区切りである。
【００７５】
次に、トラックバック先ＵＲＬ入力欄Ｃ３にトラックバック・ピングＵＲＬ（TrackBack-Ping URL、図１２（ａ）参照）の入力が受け付けられ（ステップＳ１２２）、決定ボタンＢ３がクリックされると、トラックバック記事の編集内容（タイトル、本文、画像等）が確定されて（ステップＳ１２４）、確定されたトラックバック記事、トラックバック・ピングＵＲＬ及び領域指定ＵＲＬが情報配信装置１０Ａに送信される（ステップＳ１２６）。
【００７６】
次に、情報配信装置１０Ａにおいて、トラックバック記事が受信されると（ステップＳ１２８）、図１３（ｂ）に示すように、情報配信装置１０Ａによって、トラックバック記事が配信される（ステップＳ１５６）。
【００７７】
また、情報配信装置１０Ａにおいて、トラックバック記事が受信されると（ステップＳ１２８）、引用元のブログ記事を配信している情報配信装置１０Ｂに対してトラックバック・リクエストが送信される（ステップＳ１３０）。このトラックバック・リクエストには、上記リンク画像特定情報（画像指定ＵＲＬ）が含まれている。
【００７８】
次に、情報配信装置１０Ｂにおいて、情報配信装置１０Ａからのトラックバック・リクエストが受信されると（ステップＳ１３２）、受信した画像指定ＵＲＬが解析されて、画像指定ＵＲＬによって指定された画像ファイルＩＭＧ３を要求するリクエストが情報配信装置１０Ａに送信される（ステップＳ１３４）。
【００７９】
次に、情報配信装置１０Ａから送信された画像ファイルＩＭＧ３が受信され（ステップＳ１３６、Ｓ１３８）、上記画像指定ＵＲＬによって指定された画像ファイルＩＭＧ３に対して顔認識処理が試行される（ステップＳ１４０）。そして、画像ファイルＩＭＧ３から顔領域が検出された場合には（ステップＳ１４２のＹｅｓ）、画像ファイルＩＭＧ３から当該顔領域を含む画像が切り出される（ステップＳ１４４）。一方、画像ファイルＩＭＧ３から顔領域が検出されなかった場合には（ステップＳ１４２のＮｏ）、画像ファイルＩＭＧ３をリンク画像としてそのまま使用する（ステップＳ１４６）。
【００８０】
次に、情報配信装置１０Ａから送信されたトラックバック記事のタイトルや本文等の文字情報や、リンク情報（ＵＲＬ）等が受信されて保存される（ステップＳ１４８、Ｓ１５０）。
【００８１】
次に、情報配信装置１０Ｂにおいて、図１２（ｂ）に示すように、引用元のブログ記事に、上記トラックバック記事へのタイトル（「新党〇△」）や本文の一部等の文字情報、及びリンク情報（ＵＲＬ）が追加される。また、ステップＳ１４４において切り出された顔領域を含む画像、又は、顔領域を含まない画像の場合には画像ファイルＩＭＧ３が、引用元のブログ記事に合わせてサイズが調整されて貼り付けられ、引用元のブログ記事が更新されて（ステップＳ１５２）、配信される（ステップＳ１５４）。
【００８２】
本実施形態によれば、ブログ開設者は、他人のブログ記事を引用してトラックバック記事を作成する際に、トラックバック記事に用いる画像に人物が含まれている場合に、当該画像から顔領域を切り出して、引用元のブログ記事の中に表示させることができる。
【００８３】
なお、上記第２の実施形態では、顔画像の検出を引用元のブログ記事を配信する情報配信装置１０Ｂにおいて行うようにしたが、情報配信装置１０Ａにおいて顔領域の検出及び顔領域を含む画像の切り出しを行って、リンク画像として情報配信装置１０Ａに配信するようにしてもよい。
【００８４】
なお、上記の各実施形態では、トラックバック記事に掲載した画像の一部をリンク画像として用いたが、トラックバック記事に掲載した画像以外の画像を用いてもよい。
【図面の簡単な説明】
【００８５】
【図１】本発明の一実施形態に係る情報配信装置によりブログ記事を配信するシステムを模式的に示す図
【図２】ブログ開設者端末の主要構成を示すブロック図
【図３】本発明の第１の実施形態に係る情報配信装置の主要構成を示すブロック図
【図４】本発明の第１の実施形態に係るトラックバック記事の配信及び引用元のブログ記事の更新処理の流れを示すシークエンス図
【図５】引用元のブログ記事を示す図
【図６】トラックバック記事の投稿画面及び閲覧画面の例を示す図
【図７】トラックバック記事に用いる画像が動画の場合の処理の流れを示すシークエンス図
【図８】引用元のブログ記事を示す図
【図９】トラックバック記事の投稿画面及び閲覧画面の例を示す図
【図１０】本発明の第２の実施形態に係る情報配信装置の主要構成を示すブロック図
【図１１】本発明の第２の実施形態に係るトラックバック記事の配信及び引用元のブログ記事の更新処理の流れを示すシークエンス図
【図１２】引用元のブログ記事を示す図
【図１３】トラックバック記事の投稿画面及び閲覧画面の例を示す図
【符号の説明】
【００８６】
１０Ａ及び１０Ｂ…情報配信装置、１２…ブログ記事受信部、１４…ブログ記事記録部、１６…ブログ記事配信部、１８…トラックバック・リクエスト送信部、２０…トラックバック・リクエスト受信部、２２…リンク画像特定情報取得部、２４…リンク画像取得部、２６…トラックバック処理部、２８…顔認識処理部、１００Ａ及び１００Ｂ…ブログ開設者端末、１０２…表示部、１０４…操作部、１０６…ブログ記事編集処理部、１０８…リンク画像指定部、１１０…通信Ｉ／Ｆ
【図１】
2007193674.tif 000003
【図２】
2007193674.tif 000004
【図３】
2007193674.tif 000005
【図４】
2007193674.tif 000006
【図５】
2007193674.tif 000007
【図６】
2007193674.tif 000008
【図７】
2007193674.tif 000009
【図８】
2007193674.tif 000010
【図９】
2007193674.tif 000011
【図１０】
2007193674.tif 000012
【図１１】
2007193674.tif 000013
【図１２】
2007193674.tif 000014
【図１３】
2007193674.tif 000015